(57)【要約】【課題】  容器を傾斜させるだけで容器内の粉粒体を計量して排出するような定量排出用キャップについて、計量筒の部分をそれ程長くすることなく、しかも、粉粒体を正確に計量できるようにする。【解決手段】  容器本体２の口頸部２１の上端開口を塞ぐ内蓋部分１Ａの中央付近から上方に突出するように導出筒部１３が設けられ、この導出筒部１３を備えた内蓋部分１Ａの上方を覆うように、容器本体２の口頸部２１よりも上方に延びる外筒部１５と、外筒部１５の頂部を塞ぐ天板部１６と、天板部１６の内面から垂下する計量筒部１７とが設けられ、導出筒部１３の先端が計量筒部１７の内側に開口していると共に、計量筒部１７の外側で天板部１６の外縁付近の一部分に排出口１８ａが形成されている定量排出用キャップ１において、計量筒部１７の横断面形状を略楕円形とし、その短径方向が排出口１８ａの方を向くようにする。【選択図】  図２
2006117262.tif 000002
【特許請求の範囲】
【請求項１】
容器本体の口頸部の上端開口を塞ぐ内蓋部分の中央付近から上方に突出するように導出筒部が設けられ、この導出筒部を備えた内蓋部分の上方を覆うように、容器本体の口頸部よりも上方に延びる外筒部と、外筒部の頂部を塞ぐ天板部と、天板部の内面から垂下する計量筒部とが設けられ、導出筒部の先端が計量筒部の内側に開口していると共に、計量筒部の外側で天板部の外縁付近の一部分に排出口が形成されている定量排出用キャップにおいて、計量筒部の横断面形状が略楕円形で、その短径方向が排出口の方を向くようになっていることを特徴とする定量排出用キャップ。
【請求項２】
導出筒部の先端の開口面が、排出口の方を向くように傾斜していることを特徴とする請求項１に記載の定量排出用キャップ。
【発明の詳細な説明】
【技術分野】
【０００１】
本発明は、容器内の粉粒体を計量しながら定量ずつ取り出すための定量排出用キャップに関し、特に、容器の倒立と正立と再倒立とにより容器内の粉粒体を計量して排出するような定量排出用キャップについて、容器を完全に倒立させることなく傾斜させるだけで粉粒体を計量して排出できるような定量排出用キャップに関する。
【背景技術】
【０００２】
容器内に収納された洗剤等の粉粒体を適当量ずつ取り出すために、容器内の粉粒体を計量しながら定量ずつ排出できる機能を備えたキャップが、例えば、下記の各特許文献等により従来公知となっている。そのような従来公知の定量排出用キャップでは、容器本体の口頸部の上端開口を塞ぐ内蓋部分の中央付近から上方に突出するように導出筒部が設けられ、この導出筒部を備えた内蓋部分の上方を覆うように、容器本体の口頸部よりも上方に延びる外筒部と、外筒部の頂部を塞ぐ天板部と、天板部の内面から垂下する計量筒部とが設けられ、導出筒部の先端が計量筒部の内側に開口していると共に、計量筒部の外側で天板部に排出口が形成されている。
【特許文献１】実公昭４２−２０６０６号公報
【特許文献２】特開平９−３０１４０５号公報
【特許文献３】特開平９−３０１４０６号公報
【特許文献４】特開２００４−１２３１３９号公報
【発明の開示】
【発明が解決しようとする課題】
【０００３】
ところで、上記のような従来公知の定量排出用キャップにおいて、上記の特許文献４には、キャップの上部側方（天板部の外縁付近の一部分）に偏って排出口を形成すると共に、さらに、この排出口の開口面をキャップの中心線に対して下向きに傾斜させることで、容器を完全に倒立させることなく、排出口が下となるように容器を適度な角度に傾斜させるだけで、計量した粉粒体を残留させることなく、所定量の粉粒体を円滑に排出できるようにする、ということが記載されている。
【０００４】
しかしながら、そのように排出口が下となるように容器を傾斜させるだけで容器内の粉粒体を計量して排出しようとする場合、図７（Ａ）に示すように、容器内から計量部Ｍ（計量筒の内側）に導入された粉粒体は、計量部Ｍの側壁（計量筒）に対して粉粒体の上面Ｌが傾斜した状態で計量部Ｍに導入されることとなり、そのため、同じ量の粉粒体を計量するにしても、容器を完全に倒立させて計量する場合（粉粒体の上面Ｌが計量部の側壁に対して直交する場合）と比べて、計量部Ｍをより深く（計量筒をより長く）しなければ、粉粒体が計量部Ｍから外側に零れることとなって、計量のバラツキが大きくなってしまう虞がある。
【０００５】
本発明は、上記のような問題の解消を課題とするものであり、具体的には、容器を傾斜させるだけで容器内の粉粒体を計量して排出するような定量排出用キャップについて、計量筒の部分をそれ程長くすることなく、しかも、粉粒体を正確に計量できるようにすることを課題とするものである。
【課題を解決するための手段】
【０００６】
本発明は、上記のような課題を解決するために、容器本体の口頸部の上端開口を塞ぐ内蓋部分の中央付近から上方に突出するように導出筒部が設けられ、この導出筒部を備えた内蓋部分の上方を覆うように、容器本体の口頸部よりも上方に延びる外筒部と、外筒部の頂部を塞ぐ天板部と、天板部の内面から垂下する計量筒部とが設けられ、導出筒部の先端が計量筒部の内側に開口していると共に、計量筒部の外側で天板部の外縁付近の一部分に排出口が形成されている定量排出用キャップにおいて、計量筒部の横断面形状が略楕円形で、その短径方向が排出口の方を向くようになっていることを特徴とするものである。
【発明の効果】
【０００７】
上記のような本発明の定量排出用キャップによれば、排出口が下となるように容器を傾斜させた状態で、容器内の粉粒体を導出筒部を通して計量筒部の内側に導入した際に、計量筒部の内側に収容された粉粒体は、計量筒部の壁面に対して粉粒体の上面が傾斜した状態となるが、その場合に、計量筒部の横断面形状が略楕円形で、その短径方向が排出口の方を向いていることにより、計量筒部の内側の横断面積が同じで、計量筒部の内側に収納させる粉粒体の量が同じであっても、計量筒部の横断面形状が円形のものと比べて、計量筒部の長さを短くすることができて、キャップ全体の高さをコンパクトに抑えることができる。そして、そのように計量筒部の長さが短くても、計量時に粉粒体が計量筒部の内側から外側に零れて計量のバラツキが大きくなるようなことはない。
【発明を実施するための最良の形態】
【０００８】
容器を傾斜させるだけで容器内の粉粒体を計量して排出するような定量排出用キャップについて、計量筒の部分をそれ程長くすることなく、しかも、粉粒体を正確に計量できるようにするという目的を、最良の形態として以下の実施例に具体的に示すように、容器本体の口頸部の上端開口を塞ぐ内蓋部分の中央付近から上方に突出するように導出筒部が設けられ、この導出筒部を備えた内蓋部分の上方を覆うように、容器本体の口頸部よりも上方に延びる外筒部と、外筒部の頂部を塞ぐ天板部と、天板部の内面から垂下する計量筒部とが設けられ、導出筒部の先端が計量筒部の内側に開口していると共に、計量筒部の外側で天板部の外縁付近の一部分に排出口が形成されている定量排出用キャップにおいて、計量筒部の横断面形状を略楕円形とし、その短径方向が排出口の方を向くようにするということで実現した。
【実施例】
【０００９】
以下、本発明の定量排出用キャップの一実施例について説明すると、本実施例の定量排出用キャップは、図１に示すように、容器本体２の口頸部に装着されるものであり、容器内の粉粒体を外部に振り出すための排出口部１８を備えたものであって、図２に示すように、内蓋部材１Ａと外蓋部材１Ｂの二つの部材によって構成されている。なお、キャップ１や容器本体２の製造方法については、特に限定されるものではないが、例えば、キャップ１については、各部材１Ａ，１Ｂのそれぞれが別個にポリプロピレン等の樹脂から射出成形により一体成形されており、また、容器本体２については、例えば、高密度ポリエチレン等の樹脂からダイレクトブロー成形により一体成形されている。
【００１０】
そのようなキャップ１の内蓋部材１Ａでは、リング状の平板部分による底板部１０と、底板部１０の外縁から円筒状に立ち上がる側板部１１と、底板部１０の内縁から先細り状の漏斗状に立ち上がる漏斗部１２と、漏斗部１２の上端から筒状に立ち上がる導出筒部１３とが一体成形されていて、内蓋部材１Ａの底板部１０の外縁付近が容器本体２の口頸部２１の上端面に載置されることで、容器本体２の口頸部２１の上端開口が内蓋部材１Ａにより覆われることとなる。
【００１１】
なお、開封前の未使用の容器（内容物が収納された容器入り商品）では、容器内の粉粒体が湿らないように、容器本体２の口頸部２１の上端開口は、合成紙製等のパッキン３により密閉されており、その上からキャップ１の内蓋部材１Ａが装着されていて、容器の使用を開始する時には、容器本体２の口頸部２１からキャップ１の全体を一旦取り外して、パッキン３を完全に取り除いた状態としてから、キャップ１を再び容器本体２の口頸部２１に装着することで、口頸部２１の上端開口が内蓋部材１Ａによって直接に覆われることとなる。
【００１２】
一方、キャップ１の外蓋部材１Ｂでは、容器本体２の口頸部２１の外周面と螺合するネジ部が内周面に形成された円筒状のネジ形成部１４と、ネジ形成部１４の上端から円筒状に立ち上がる外筒部１５と、外筒部１５の頂部を塞ぐ天板部１６と、天板部１６の内面から垂下する計量筒部１７とが一体成形されていて、計量筒部１７の外側で天板部１６の外縁付近の一部分に排出口部１８が形成されている。
【００１３】
キャップ１の外蓋部材１Ｂに形成されている排出口部１８については、図２および図３に示すように、天板部１６の外縁に沿って半月形状に開口された排出口１８ａに対して、この排出口１８ａを開閉するための半月形状の開閉蓋１８ｂが、直線的な薄肉ラインのヒンジ部１８ｃで天板部１６と一体的に連結されるように、天板部１６から垂直に立った状態で射出成形されており、この開閉蓋１８ｂをヒンジ部１８ｃを回動軸として下方に回動させることで、排出口１８ａを塞ぐようにしている。
【００１４】
そして、開閉蓋１８ｂにより排出口１８ａを塞いだ状態では、開閉蓋１８ｂの円弧状の縁壁の内側に形成された係合凸部１８ｄを、外筒部１５の上端外縁に設けた係合凹部１５ｄに係合させることで、開閉蓋１８ｂによる排出口１８ａの閉鎖状態を維持するようにしており、開閉蓋１８ｂを開いて排出口１８ａを開ける時には、開閉蓋１８ｂの円弧状の縁壁の外側に形成されたタブ１８ｅを手で押し上げることにより、開閉蓋１８ｂの係合凸部１８ｄと外筒部１５の係合凹部１５ｄとの係合を解除してから、開閉蓋１８ｂを上方に回動させて排出口１８ａを開けるようにしている。
【００１５】
なお、上記のような内蓋部材１Ａと外蓋部材１Ｂとからなる定量排出用キャップ１では、両方の部材１Ａ，１Ｂを組み付けた状態で、図２に示すように、導出筒部１３の先端開口は、計量筒部１７の内側に位置しており、この計量筒部１７の内側が、容器内から導出筒部１３を通して導出された粉粒体を計量するための計量部Ｍとなる。また、導出筒部１３の周辺部（内蓋部材１Ａの側板部１１と底板部１０と漏斗部１２とで囲まれた部分）は、計量部Ｍ（計量筒部１７の内側）で計量された粉粒体を排出口１８ａから排出する前に一時的に貯留するための貯留部Ｎとなる。
【００１６】
そのような内蓋部材１Ａと外蓋部材１Ｂとからなる本実施例の定量排出用キャップ１の使用状態について以下に説明すると、容器本体２の口頸部２１からキャップ１を一度取り外して、口頸部２１からパッキン３を取り除き、口頸部２１にキャップ１を再び装着して、キャップ１の排出口１８ａを開けた状態としてから、正立状態となっている容器を、排出口１８ａが下となるように所定角度まで傾斜させることで、図５（Ａ）に示すように、容器内の粉粒体は、導出筒部１３を通して計量筒部１７の内側（計量部Ｍ）に流入して、計量筒部１７の内側（計量部Ｍ）で所定量に計量される。
【００１７】
次いで、容器を元に戻して正立状態とすることで、計量筒部１７の内側（計量部Ｍ）で計量された所定量の粉粒体は、図５（Ｂ）に示すように、導出筒部１３の周辺部（貯留部Ｎ）に落下する。その状態から、図６（Ｃ）に示すように、容器を正立状態から徐々に傾斜させて、図６（Ｄ）に示すように、容器を再び所定角度まで傾斜させることで、導出筒部１３の周辺部（貯留部Ｎ）に溜まっている所定量の粉粒体が排出口１８ａから排出されると共に、それと同時に、容器内の粉粒体が新たに導出筒部１３から計量筒部１７の内側（計量部Ｍ）に流入することで、次の定量排出に備えた粉粒体の計量が行われる。それ以後は、容器を正立状態から所定角度まで傾斜させるだけで、粉粒体を排出口１８ａから所定量ずつ排出することができる。
【００１８】
ところで、上記のように容器内の粉粒体を計量して定量ずつ取り出すような定量排出用キャップにおいて、本実施例では、図２および図４に示すように、外蓋部材１Ｂの外筒部１５の内周面に複数本の縦リブ１９が形成されていて、内蓋部材１Ａと外蓋部材１Ｂとを組み付けた状態で、外筒部の各縦リブ１９は、その内の一本（又は所定の複数本でも良い）１９ａを除いて、その下端面が内蓋部材１Ａの側板部１１の上端面に当接し、残りの一本（又は所定の複数本）の縦リブ１９ａだけが、下方にまで長く延びて、内蓋部材１Ａの側板部１１の一部に形成された切り欠き部に入り込むようになっている。
【００１９】
さらに、そのように縦リブ１９ａにより内蓋部材１Ａと外蓋部材１Ｂとが常に一定の位置関係となるように位置合わせされた状態で組み付けられるキャップ１において、外蓋部材１Ｂの計量筒部１７は、図４に示すように、その横断面形状が略楕円形で、その短径方向が排出口１８ａの方を向く（楕円形の曲率半径の大きい円弧側の一方が排出口１８ａに近づく）ようになっている。なお、本実施例では、内蓋部材１Ａの導出筒部１３は、その横断面形状が計量筒部１７の略楕円形と互いに等間隔を置いた相似形の略楕円形となっており、また、その先端の開口面１３ａは、図２に示すように、排出口１８ａの方を向くように傾斜（５〜４５度の角度で直線的に傾斜）している。
【００２０】
上記のような本実施例の定量排出用キャップ１によれば、排出口１８ａが下となるように容器を傾斜させた状態で、容器内の粉粒体を導出筒部１３を通して計量筒部１７の内側（計量部Ｍ）に導入した際に、図７（Ｂ）に示すように、計量部Ｍに収容された粉粒体は、計量部Ｍの側壁（計量筒部１７）に対して粉粒体の上面Ｌが傾斜した状態となるが、その場合に、計量筒部１７の横断面形状が略楕円形で、その短径方向が排出口１８ａの方を向いていることにより、計量部Ｍの横断面積が同じで、その内部に導入する粉粒体の量が同じであっても、計量筒部の横断面形状が円形のもの（図中に一点鎖線で示したもの）と比べて、計量筒部１７の長さを短く（計量部Ｍの深さを浅く）することができて、キャップ全体の高さをコンパクトに抑えることができる。そして、そのように計量筒部１７の長さを短くしても、計量時に粉粒体が計量部Ｍから外側に零れて計量のバラツキが大きくなるようなことはない。
【００２１】
さらに、本実施例では、導出筒部１３の先端の開口面を、排出口１８ａの方を向くように傾斜させているが、それにより、排出口１８ａが下となるように容器を傾けたときに、導出筒部１３の先端の開口面が平坦な（導出筒部１３の中心軸線と直交する）ものと比べて、容器の傾きが緩い段階から、導出筒部１３の先端開口からの粉粒体の流出がスムーズに行われると共に、容器を所定角度（最終的に計量を終了する角度）まで傾けたときに、図５（Ａ）および図６（Ｄ）に示すように、計量筒部１７の内側に溜まった粉粒体の上面により導出筒部１３の先端開口が完全に塞がれることから、容器を傾けるだけでの粉粒体の計量・排出において、粉粒体の計量を迅速で一層正確なものとすることができる。
【００２２】
なお、本実施例のように排出口１８ａが下となるように容器を傾けて粉粒体を計量・排出させた場合、計量筒部１７の内側（計量部Ｍ）に導入される粉粒体は、図５（Ａ）および図６（Ｄ）に示すように、計量筒部１７の内側で排出口１８ａ寄りに多く溜まることとなり、その後で容器を正立させたときに、導出筒部１３の外側（貯留部Ｎ）に溜まる粉粒体は、図５（Ｂ）に示すように、排出口１８ａの側に多く溜まることとなって、更にその後で容器を傾斜させたときには、図６（Ｃ）に示すように、粉粒体は迅速に排出口１８ａの側に移動することから、この粉粒体を迅速に排出口１８ａから排出できる。
【００２３】
以上、本発明の定量排出用キャップの一実施例について説明したが、本発明は、上記のような実施例にのみ限定されるものではなく、例えば、内蓋部材１Ａに形成される導出筒部１３について、上記の実施例では、図４に示すように、その横断面形状を略楕円形（計量筒部１７の略楕円形と互いに等間隔を置いた相似形の略楕円形）とし、その先端の開口面を排出口１８ａの方を向くように傾斜させているが、横断面形状については単なる円形としても良く、また、先端の開口面については平坦なもの（導出筒部１３の中心軸線と直交するもの）にしても良いものである。
【００２４】
さらに、容器本体１の口頸部２１のネジ部と螺合するネジ部を備えたキャップのネジ形成部１４について、上記の実施例では、外蓋部材１Ｂの一部分として外筒部１５の下方に一体的に形成しているが、内蓋部材１Ａの一部分として底板部１０の外縁から下方に一体的に形成しても良く、また、内蓋部材１Ａと外蓋部材１Ｂの位置合わせについては、上記の実施例に示したような縦リブ１９ａ（及び切り欠き部）による位置合わせに限られるものではなく、また、排出口部１８の排出口１８ａの閉鎖手段については、上記の実施例に示したように外蓋部材１Ｂに一体成形されたヒンジ式の開閉蓋１８ｂに限られるものではない等、適宜に設計変更可能なものであることは言うまでもない。
【図面の簡単な説明】
【００２５】
【図１】本発明の定量排出用キャップが装着された容器の一例を示す側面図。
【図２】本発明の定量排出用キャップの一実施例を示す縦断面図。
【図３】図２に示した定量排出用キャップを上方から見た状態を示す上面図。
【図４】図２に示した定量排出用キャップのＡ−Ａ線に沿った部分を示す横断面図。
【図５】図２に示した定量排出用キャップの使用状態について、（Ａ）最初に容器を所定角度だけ傾斜させて容器内の粉粒体を計量部で計量している状態と、（Ｂ）その後で容器を正立させて計量した粉粒体を貯留部に貯めている状態とをそれぞれ示す縦断面説明図。
【図６】図２に示した定量排出用キャップの使用状態について、（Ｃ）容器を正立状態から傾斜させ始めて貯留部に貯めた粉粒体を排出口の側に寄せている状態と、（Ｄ）容器を所定角度だけ傾斜させて粉粒体を排出すると共に新たに容器内の粉粒体を計量部で計量している状態とをそれぞれ示す縦断面説明図。
【図７】（Ａ）従来の定量排出用キャップにより容器を傾斜させて粉粒体を計量したときの状態と、（Ｂ）本発明の定量排出用キャップにより容器を傾斜させて粉粒体を計量したときの状態とをそれぞれ示す縦断面説明図。
【符号の説明】
【００２６】
１        キャップ（定量排出用キャップ）
２        容器本体
１Ａ      （キャップの）内蓋部材
１Ｂ      （キャップの）外蓋部材
１３      導出筒部
１３ａ    （導出筒部の先端の）開口面
１５      外筒部
１６      天板部
１７      計量筒部
１８      排出口部
１８ａ    排出口
２１      （容器本体）の口頸部
【図１】
2006117262.tif 000003
【図２】
2006117262.tif 000004
【図３】
2006117262.tif 000005
【図４】
2006117262.tif 000006
【図５】
2006117262.tif 000007
【図６】
2006117262.tif 000008
【図７】
2006117262.tif 000009